(57)【要約】【課題】  ディスク拘止機構の製造を容易化する。【解決手段】  ロータヨーク１５の平坦部１５ｂは、ディスクを載置する載置面２１ａを構成している。載置面２１ａ上に台座部２２が固定されている。台座部２２は、回転軸１１に同軸に並ぶ複数の拘止部２２ｂが一体に形成されている。Ｏリング２４が拘止部２２ｂを、外に広がるように付勢しディスクを拘止する。拘止部２２ｂは、台座部２２に一体に形成されているので、細かな個別部品をディスク拘止機構に組込む必要がなくなり、製造が容易である。【選択図】  図１
2005044449.tif 000002
【特許請求の範囲】
【請求項１】
円板状をなすと共に中心には中心孔が形成されたディスクを拘止するディスク拘止機構であって、
モータから突出した回転軸に固定されると共に、前記ディスクを載置するための載置面が該モータとは反対側を向き且つ回転軸に同軸に形成されたテーブル部と、
前記テーブル部の載置面に固定された台部と該台部から立設されて先端が該テーブル部とは反対方向を向き且つ前記回転軸からの距離が略等距離にある複数の棒状の拘止部とを有する台座部と、
柱状の外周を持ち、前記複数の拘止部の間に挿入された支持部と、
弾性体で形成されたリング状をなして前記支持部の外周に嵌められ、前記拘止部と該支持部の外周との間に介在し、該支持部の外周を支点とし該複数の拘止部を外方向に付勢し、該複数の拘止部に前記ディスクの中心孔を拘止させる付勢手段と、
を備えることを特徴とするディスク拘止機構。
【請求項２】
前記各拘止部の先端には、複数の拘止部を前記ディスクの中心孔に挿入させるテーパーが形成されていることを特徴とする請求項１に記載のディスク拘止機構。
【請求項３】
前記付勢手段は、ゴムで構成されたＯリングであることを特徴とする請求項１に記載のディスク拘止機構。
【請求項４】
円盤状をなすと共に中心には中心孔が形成されたディスクを拘止するディスクチャック機構であって、
モータの回転軸に同軸に固定された台部と、
前記ディスクを載置するための載置面と該載置面の裏側で前記台部と対向する裏面とを有する板状をなし、前記モータの回転軸に固定され、該回転軸と同軸の円周に沿って複数の孔が形成され、該各孔を囲む縁端のうちの該回転軸から遠い位置には該回転軸側に向けて突出した足部がそれぞれ形成され、該各足部の先端には該載置面から先端が突出して前記ディスクの中心孔に挿入される棒状の拘止部がそれぞれ形成されたテーブル部と、
弾性体で構成されたリング状をなし、前記台部と前記テーブルとの間に前記回転軸と同軸に介装され、該台部を支点として前記テーブルの複数の足部を付勢し、前記複数の拘止部の先端側を該回転軸から遠ざけ、該複数の拘止部に前記ディスクを拘止させる付勢手段と、
を備えることを特徴とするディスク拘止機構。
【請求項５】
前記台部は、モータのロータヨークを構成することを特徴とする請求項４に記載のディスク拘止機構。
【請求項６】
付勢手段は、ゴムで構成されたＯリングであることを特徴とする請求項４に記載のディスク拘止機構。
【請求項７】
前記各拘止部の先端には、複数の拘止部を前記ディスクの中心孔に挿入するためのテーパーが形成されていることを特徴とする請求項４に記載のディスク拘止機構。
【発明の詳細な説明】
【技術分野】
【０００１】
本発明は、ディスクドライブ等に設けられ、ディスクを拘止（チャッキング）するディスク拘止機構に関する。
【背景技術】
【０００２】
ＣＤ，ＤＶＤ等を駆動するディスクドライブに設けられ、ディスクを拘止するするディスク拘止機構としては、次の特許文献１に記載されたものがある。
【特許文献１】特開２０００−３０３２８号公報
【０００３】
特許文献１によれば、ディスクの中心孔をホールドする複数のチャッキングフィンが、独立した部品として製作され、その複数のチャッキングフィンと、各チャッキングフィンを付勢するためのゴムスプリングが、カップ状をなしたチャッキングベース内に組込まれる。チャッキングベースには、複数の切欠きが形成されており、各切欠きからチャッキングフィンの一部が露出する。複数のチャッキングフィンをゴムスプリングで付勢することにより、複数のチャッキングフィンがディスクの中心孔をホールドする。
【０００４】
各チャッキングフィンをそれぞれ付勢する複数のゴムスプリングが用いられる場合もあれば、各チャックフィンをそれぞれ付勢する場所が形成された一体のゴムスプリングが用いられる場合もある。
【発明の開示】
【発明が解決しようとする課題】
【０００５】
しかしながら、各チャッキングフィンは細かな部品になるので、チャッキングベースに組込むのが困難であると共に、正常な状態に組込むのには熟練を要する。則ち、製作が容易ではなかった。
【０００６】
また、複数のゴムスプリングを使用する場合には、チャッキングフィンと同様、チャッキングベースに組込むのが困難であると共に、正常な状態に組込むのに熟練を要する。一体のゴムスプリングを使用する場合には、ゴムスプリングの形状が特殊なものになり、コストの低減が困難であった。
【０００７】
本発明は、以上のような現状に鑑みてなされた発明であり、製作が容易なディスク拘止機構を提供することを目的とする。
【課題を解決するための手段】
【０００８】
上記目的を達成するために、本発明の第１の観点に係るディスク拘止機構は、円板状をなすと共に中心には中心孔が形成されたディスクを拘止するディスク拘止機構であって、モータから突出した回転軸に固定されると共に、前記ディスクを載置するための載置面が該モータとは反対側を向き且つ回転軸に同軸に形成されたテーブル部と、前記テーブル部の載置面に固定された台部と該台部から立設されて先端が該テーブル部とは反対方向を向き且つ前記回転軸からの距離が略等距離にある複数の棒状の拘止部とを有する台座部と、柱状の外周を持ち、前記複数の拘止部の間に挿入された支持部と、弾性体で形成されたリング状をなして前記支持部の外周に嵌められ、前記拘止部と該支持部の外周との間に介在し、該支持部の外周を支点とし該複数の拘止部を外方向に付勢し、該複数の拘止部に前記ディスクの中心孔を拘止させる付勢手段と、を備えることを特徴とする。
このような構成を採用したことにより、ディスクの中心孔に複数の拘止部が挿入された状態で、各拘止部が付勢手段で付勢され、ディスクを拘止することができる。ここで、複数の拘止部は、台座部に形成されていて一体であり、ディスク拘止機構への組込みが容易である。
【０００９】
なお、前記各拘止部の先端には、複数の拘止部を前記ディスクの中心孔に挿入させるテーパーが形成されていてもよい。
【００１０】
また、前記付勢手段は、ゴムで構成されたＯリングであってもよい。
【００１１】
上記目的を達成するために、本発明の第２の観点に係るディスク拘止機構は、円盤状をなすと共に中心には中心孔が形成されたディスクを拘止するディスクチャック機構であって、モータの回転軸に同軸に固定された台部と、前記ディスクを載置するための載置面と該載置面の裏側で前記台部と対向する裏面とを有する板状をなし、前記モータの回転軸に固定され、該回転軸と同軸の円周に沿って複数の孔が形成され、該各孔を囲む縁端のうちの該回転軸から遠い位置には該回転軸側に向けて突出した足部がそれぞれ形成され、該各足部の先端には該載置面から先端が突出して前記ディスクの中心孔に挿入される棒状の拘止部がそれぞれ形成されたテーブル部と、弾性体で構成されたリング状をなし、前記台部と前記テーブルとの間に前記回転軸と同軸に介装され、該台部を支点として前記テーブルの複数の足部を付勢し、前記複数の拘止部の先端側を該回転軸から遠ざけ、該複数の拘止部に前記ディスクを拘止させる付勢手段と、を備えることを特徴とする。
【００１２】
このような構成を採用したことにより、テーブル部に形成され、テーブル部の載置面から突出した複数の拘止部が、付勢手段により付勢され、ディスクの中心孔が複数の拘止部で拘止される。ここで、複数の拘止部はテーブルと一体なので、ディスク拘止機構への組込みが容易である。
【００１３】
なお、前記台部は、モータのロータヨークを構成してもよい。
【００１４】
また、前記付勢手段は、ゴムで構成されたＯリングであってもよい。
【００１５】
また、前記各拘止部の先端には、複数の拘止部を前記ディスクの中心孔に挿入するためのテーパーが形成されていてもよい。
【発明の効果】
【００１６】
本発明によれば、ディスクを拘止する複数の拘止部が一体に形成されるので、細かな部品を組込む手間がなくなり、製作が容易となり、製造コストの低減が可能になる。
【発明を実施するための最良の形態】
【００１７】
［第１の実施の形態］
図１は、本発明の第１の実施形態に係るディスク拘止機構の部分断面図である。図２は、図１のディスク拘止機構の一部を切欠いた平面図である。
【００１８】
このディス拘止機構２０は、ＣＤ（Compact Disc）、ＤＶＤ（Digital Versatile Disc）等のディスクを駆動するディスクドライバ内に設けられてディスクを拘止するものであり、ベース基材Ｂにモータ１０と共に取付けられている。
【００１９】
モータ１０は、回転軸１１と、複数のステータヨーク１２及び複数のマグネットワイヤ１３からなるステータと、ロータマグネット１４、ロータヨーク１５及びロータハブ１６からなるロータとを備え、ロータが回転する。
【００２０】
これに対し、ディスク拘止機構２０は、テーブル部２１と、台座部２２と、支持部２３と、付勢手段であるＯリング２４とを備えている。
モータ１０の回転軸１１の後端側１１ａは、ハウジング１７に収容された軸受１８の中心孔に回転可能に挿通されている。ハウジング１７は柱状の外周面を持つ。ハウジング１７の外周面に、複数のステータヨーク１２が取付けられ、各ステータヨーク１２には、マグネットワイヤ１３が巻回されている。マグネットワイヤ１３は、ステータヨーク１２を励磁するものである。ハウジング１７の後端１７ａ側は、ベース基材Ｂに形成された孔に係止されている。
【００２１】
ロータを構成するロータヨーク１５は、円筒状の胴部１５ａと、胴部１５ａの一端から内側に延びた平坦部１５ｂとを有し、概ねカップ状をなしている。胴部１５ａの内側に、ステータヨーク１２及びハウジング１７の先端１７ｂ側が収容されている。
【００２２】
胴部１５ａの内周面に、複数のロータマグネット１４が、ステータヨーク１２に対峙するように取付けられている。各ロータマグネット１４は、永久磁石で構成され、Ｎ極又はＳ極に着磁され、円周方向に交互に取付けられている。平坦部１５ｂは、胴部１５ａの軸方向に対して垂直な平板状になっており、この平坦部１５ｂの中心部には、回転軸１１の外径よりも内径が大きな孔が、形成されている。
【００２３】
平坦部１５ｂと回転軸１１の先端１１ｂとは、ロータハブ１６で固定されている。ロータハブ１６は、平坦部１５ｂの孔に回転軸１１の先端１１ｂ側が挿通された状態で樹脂の射出成形で形成したものであり、回転軸１１とロータヨーク１５とは同軸である。平坦部１５ｂは、回転軸１１に対して垂直になると共に、ベース基材Ｂに対して平行になっている。
【００２４】
テーブル部２１は、ロータヨーク１５の平坦部１５ｂをそのまま利用したものであり、回転軸１１に同軸に固定されて、回転軸１１に垂直な円形の平面状をなしている。テーブル部２１のステータヨーク１２とは反対側の面は、ディスク載置面２１ａである。ディスク載置面２１ａの外周近傍には、樹脂で形成された円環状のディスク受部２１ｂが回転軸１１に同軸に貼着されている。なお、ディスク受部２１ｂは、ディスクの一部が当接する部分であり、樹脂で形成しなくても、接着剤を塗布してその表面を削って形成してもよい。
【００２５】
テーブル部２１のディスク載置面２１ａ上に、台座部２２が配置されている。台座部２２は、ロータハブ１６を形成した樹脂の射出成形によって同時に形成されたもので、ロータハブ１６と一体であり、ロータハブ１６を介して回転軸１１に固定されている。
【００２６】
台座部２２は、円形の台部２２ａと複数の拘止部２２ｂとからなる。台部２２ａの底面は、テーブル部２１のディスク載置面２１ａに固定されている。台部２２ａの回転軸１１から遠い側の端部に、例えば３個の拘止部２２ｂが回転軸１１と同軸に立設されている。各拘止部２２ｂは棒状をなし、その先端には、複数の拘止部２２ｂを同時にディスクの中心孔に嵌入させるためのテーパー２２ｃがそれぞれ形成されている。
【００２７】
支持部２３は、筒状をなす小径部２３ａと、該小径部２３ａの外周側をカルデラ状に包囲する筒状の大径部２３ｂとを有し、小径部２３ａ及び大径部２３ｂが共軸に連結されている。小径部２３ａの中心孔は、ロータハブ１６と嵌合し、ロータハブ１６の外周面によって支持部２３が支持されている。大径部２３ｂには、拘止部２２ｂと同数の切欠きが形成されている。
【００２８】
支持部２３の小径部２３ａが複数の拘止部２２ｂの間に挿入されると共に、その小径部２３ａの外周に、例えばプロピレンゴム製のＯリング２４が嵌められている。大径部２３ｂは、Ｏリング２４の外周側を包囲すると共に、切欠きから拘止部２２ｂを露出させている。
【００２９】
Ｏリング２４は、拘止部２２ｂに当接し、小径部２３ａの外周面を支点として、拘止部２２ｂを回転軸１１から遠ざかる方向に付勢する。Ｏリング２４によって付勢された３個の拘止部２２ｂの先端側は回転軸１１から離れ、３個の拘止部２２ｂの先端側の外接円の径が、拘止対象のディスクの中心孔の径よりもわずかに大きくなっている。
【００３０】
次に、モータ１０及びディスク拘止機構２０の動作を説明する。
ＣＤ或いはＤＶＤ等のディスクは、円盤状をなし、その中心には、中心孔が形成されている。ディスクをディスク拘止機構２０に拘止させる場合には、ディスクの一面をテーブル部２１に対向させ、ディスクの中心と支持部２３の中心とが一致するようにして、ディスクをモータ１０側へ押圧する。
【００３１】
ディスクをモータ１０側に押圧することにより、テーパー２２ｃを有する各拘止部２２ｂの先端側が、ディスクの中心孔に嵌入される。ディスクを強く押圧することにより、拘止部２２ｂを回転軸１１側に押す力が３個の拘止部２２ｂに働き、拘止部２２ｂの先端側が回転軸１１側に向けて移動する。ディスクをモータ側に継続して押すことにより、ディスクがテーブル部２１の載置面２１ａ側に移動し、ディスクの一面がディスク受部２１ｂに当たった状態になる。この状態でディスクのセットが完了する。
【００３２】
ディスクのセットが完了した状態では、Ｏリング２４が拘止部２２ｂを付勢しているので、拘止部２２ｂがディスクの内周面に当接し、ディスクが拘止される。
拘止部２２ｂに拘止されたディスクは適切にセンタリングされ、ディスクの中心と回転軸１１の中心が一致する。
【００３３】
ディスクが拘止された状態で、マグネットワイヤ１３に通電することにより、ステータヨーク１２が励磁され、ステータヨーク１２とロータマグネット１４との間に、引力及び反発力が発生する。これらの引力及び反発力により、ロータヨーク１５が回転軸１１と共に回転する。ロータヨーク１５及び回転軸１１が回転することにより、テーブル部２１が回転し、ディスクも回転する。
【００３４】
以上のように、本実施形態のディスク拘止機構２０は、３個の拘止部２２ｂが個別の部品として組込まれるのではなく、一体のものとして回転軸１１に固定される。従って、細かな部品を組込む手間がなくなり、熟練者でなくても高い組込み精度を確保できる。また、組込みの自動化も可能である。則ち、製作が容易である。
さらに、拘止部２２ｂを付勢するＯリング２４についても、汎用のＯリングが使用でき、コストの低減が可能になる。
【００３５】
［第２の実施形態］
図３は、本発明の第２の実施形態に係るディスク拘止機構の断面図である。図４は、図３のディスク拘止機構の一部を切欠いた平面図である。
このディスク拘止機構５０は、ＣＤやＤＶＤ等のディスクを駆動するディスクドライバ内に設けられてディスクを拘止するものであり、ベース基材Ｂにモータ４０と共に取付けられている。
【００３６】
モータ４０は、回転軸４１と、複数のステータヨーク４２及び複数のマグネットワイヤ４３からなるステータと、ロータマグネット４４及びロータヨーク４５を有するロータとを備え、ロータが回転する。
【００３７】
これに対し、ディスク拘止機構５０は、テーブル部５１と、付勢手段であるＯリング５２とを、備えている。
【００３８】
モータ４０の回転軸４１の後端４１ａ側は、ハウジング４６に収容された軸受４７の中心孔に回転可能に挿通されている。ハウジング４６は柱状の外周面を持つ。ハウジング４６の外周面に、複数のステータヨーク４２が取付けられ、各ステータヨーク４２には、マグネットワイヤ４３が巻回されている。マグネットワイヤ４３は、ステータヨーク４２を励磁するものである。ハウジング４６の後端４６ａ側は、ベース基材Ｂに形成された孔に係止されている。
【００３９】
ロータを構成するロータヨーク４５は、円筒状の胴部４５ａと、胴部４５ａの一端から内側に延びた連結部４５ｂとを有し、概ねカップ状をなしている。胴部４５ａの内側に、ステータヨーク４２及びハウジング４６の先端側が収容されている。
【００４０】
連結部４５ｂは、回転軸４１に接着され、胴部４５ａを支持している。連結部４５ｂの胴部４５ａ側には、円周状に段差４５ｃが形成されている。段差４５ｃにＯリング５２が載置されている。段差４５ｃは、Ｏリング５２の支点となる台部を構成している。
【００４１】
胴部４５ａの内周面に、複数のロータマグネット４４が、ステータヨーク４２に対峙するように取付けられている。各ロータマグネット４４は、永久磁石で構成され、Ｎ極又はＳ極に着磁され、円周方向に交互に取付けられている。連結部４５ｂは、胴部４５ａの軸方向に対して垂直な平板状になっている。
【００４２】
テーブル部５１は、樹脂製で概ね円盤状をなし、その中心はモータ４０から突出した回転軸４１に接着されている。テーブル部５１は、モータ４０とは反対側を向く載置面５１ａと、その載置面５１ａの裏側で連結部４５ｂ及び段差４５ｃと対向する裏面５１ｂとを有する。載置面５１ａにディスクが載置される。
【００４３】
テーブル部５１には、回転軸４１と同軸の円周に沿って３個の孔５１ｃが形成されている。テーブル部５１の各孔５１ｃを囲む縁端のうちの回転軸４１から遠い位置には、回転軸４１側に向けて突出した足部５１ｄがそれぞれ形成されている。各足部５１ｄの先端には、載置面５１ａから先端が突出してディスクの中心孔に挿入される棒状の拘止部５１ｅがそれぞれ形成されている。各拘止部５１ｅの先端部には、テーパー５１ｆが形成されている。
【００４４】
Ｏリング５２は、テーブル部５１の裏面５１ｂと、モータ４０の段差４５ｃとの間に挟まれ、足部５１ｄを、載置面５１ａ側に付勢している。
【００４５】
テーブル部５１の載置面５１ａの回転軸４１の近傍には、マグネット５３が埋め込まれている。このマグネット５３は、図示しないクランパを吸引するものであり、クランパによりディスクをさらに抑えることも可能になっている。
【００４６】
次に、モータ４０及びディスク拘止機構５０の動作を説明する。
ＣＤ或いはＤＶＤ等のディスクをディスク拘止機構５０によって拘止させる場合には、ディスクの一面をテーブル部５１の載置面５１ａに対向させ、ディスクの中心と回転軸４１の中心とが一致するようにして、ディスクをモータ４０側へ押圧する。
【００４７】
ディスクをモータ４０側に押圧することにより、テーパー５１ｆを有する各拘止部５１ｅの先端側が、ディスクの中心孔に嵌入される。ディスクを強く押圧することにより、Ｏリング５２が足部５１ｄを付勢する力に抗して、拘止部５１ｅを回転軸１１側に押す力が３個の拘止部５１ｅに働き、拘止部５１ｅの先端側が回転軸１１側に向けて移動する。ディスクをモータ側に継続して押すことにより、ディスクが移動してテーブル部５１の載置面５１ａに載置される。この状態で、３個の拘止部５１ｅにより、ディスクがセンタリングされけ、ディスクの中心が回転軸４１と一致する。クランパをマグネット５３に吸着させて、ディスクのセットが完了する。
【００４８】
ディスクのセットが完了した状態では、Ｏリング５２が足部５１ｄを付勢しているので、拘止部５１ｅがディスクの内周面に当接し、ディスクが確実に拘止され続ける。
【００４９】
以上のように、本形態では、テーブル部５１と一体に拘止部５１ｅが形成されているので、３個の拘止部５１ｅが個別の部品として組込まれるのではなく、一体のものとして回転軸１１に固定される。従って、細かな部品を組込む手間がなくなり、熟練者でなくても高い組込み精度を確保できる。また、組込みの自動化も可能である。則ち、製作が容易であり、コストの低減も可能となる。
【００５０】
さらに、足部５１ｄを付勢して拘止部５１ｅを付勢するＯリング５２についても、汎用のＯリングが使用でき、さらなるコストの低減が可能になる。
【００５１】
なお、本発明は、上記実施形態に限定されず、種々の変形が可能である。その変形例としては、次のようなものがある。
【００５２】
（１）  拘止部２２ｂ，５１ｅの個数は、３個でなくてもよく、例えば５個でもよい。
（２）  付勢手段としてのＯリング２４、５２は、一般的な円形の断面を有するものでなくても、例えば矩形の断面もつものでもよい。
【００５３】
（３）  第１の実施形態では、ロータヨーク１５の平坦部１５ｂがテーブル部２１を兼ねているが、別の部品で構成してもよい。
【００５４】
（４）  第２の実施形態では、マグネット５３でクランパを吸着する構成にしたが、マグネット５３及びクランパを省略することも可能である。
【図面の簡単な説明】
【００５５】
【図１】本発明の第１の実施形態に係るディスク拘止機構の部分断面図である。
【図２】図１のディスク拘止機構の一部を切欠いた平面図である。
【図３】本発明の第２の実施形態に係るディスク拘止機構の断面図である。
【図４】図３のディスク拘止機構の一部を切欠いた平面図である。
【符号の説明】
【００５６】
１０，４０      モータ
１１，４１      回転軸
１５，４５      ロータヨーク
２１，５１      テーブル部
２２            台座部
２２ｂ，５１ｅ    拘止部
２３            支持部
２４，５２      Ｏリング
５１ｄ          足部
【図１】
2005044449.tif 000003
【図２】
2005044449.tif 000004
【図３】
2005044449.tif 000005
【図４】
2005044449.tif 000006